(57)【要約】【課題】電波レンズアンテナ装置を種々の異なった方法により設置する場合でも、１つの取り付け治具によって設置することができる電波レンズアンテナ装置および電波レンズアンテナ装置の設置方法を提供する。【解決手段】電波レンズアンテナ本体と、前記電波レンズアンテナ本体を固定するための取り付け治具を有する電波レンズアンテナ装置であって、前記電波レンズアンテナ本体は、半球状のルーネベルグレンズと、前記ル−ネベルグレンズに固定された電波反射板を有し、前記取り付け治具は、ホルダーと前記ホルダーとの間に支持部材を挟み込むストッパーを有し、前記電波反射板は、前記ホルダーの一方の面に固定されており、前記ストッパーは、前記ホルダーの他方の面の長手方向の複数箇所に、着脱自在に取り付け可能に構成されていることを特徴とする電波レンズアンテナ装置、およびその設置方法。【選択図】    図１
2008301237.tif 000002
【特許請求の範囲】
【請求項１】
電波レンズアンテナ本体と、前記電波レンズアンテナ本体を固定するための取り付け治具を有する電波レンズアンテナ装置であって、
前記電波レンズアンテナ本体は、半球状のルーネベルグレンズと、前記ル−ネベルグレンズに固定された電波反射板を有し、
前記取り付け治具は、ホルダーと前記ホルダーとの間に支持部材を挟み込むストッパーを有し、
前記電波反射板は、前記ホルダーの一方の面に固定されており、
前記ストッパーは、前記ホルダーの他方の面の長手方向の複数箇所に、着脱自在に取り付け可能に構成されていることを特徴とする電波レンズアンテナ装置。
【請求項２】
前記ストッパーは、略角柱状支持部材を挟む平面部と、略円柱状支持部材を挟む凹部を備えていることを特徴とする請求項１に記載の電波レンズアンテナ装置。
【請求項３】
前記電波反射板が、前記ホルダーに縦横両方向自在に取り付け可能であることを特徴とする請求項１または請求項２に記載の電波レンズアンテナ装置。
【請求項４】
前記ホルダーに、前記電波反射板を前記ホルダー上で回転させることによって電波レンズアンテナ本体の方向調整が可能な前記電波反射板固定用の円弧状長穴が設けられていることを特徴とする請求項１ないし請求項３のいずれかに記載の電波レンズアンテナ装置。
【請求項５】
電波レンズアンテナ本体と、前記電波レンズアンテナ本体を固定するための取り付け治具を有する電波レンズアンテナ装置であって、
前記電波レンズアンテナ本体は、半球状のルーネベルグレンズと、前記ル−ネベルグレンズに固定された電波反射板を有し、
前記取り付け治具は、ホルダーと、前記ホルダーとの間に支持部材を挟み込むストッパーを有し、
前記電波反射板は、前記ホルダーの一方の面に固定されており、
前記ホルダーに、前記電波反射板を前記ホルダー上で回転させることによって電波レンズアンテナ本体の方向調整が可能な前記電波反射板固定用の円弧状長穴が設けられていることを特徴とする電波レンズアンテナ装置。
【請求項６】
請求項１ないし請求項５のいずれかに記載の電波レンズアンテナ装置を用いて、
前記ホルダーと前記ストッパーとの間に支持部材を挟み込むことにより、前記ホルダーを前記支持部材に固定することを特徴とする電波レンズアンテナ装置の設置方法。
【請求項７】
請求項２ないし請求項４のいずれかに記載の電波レンズアンテナ装置を用いて、
前記ホルダーの前記電波反射板側と反対側の面に、２個の前記ストッパーを、各々の前記凹部同士が互いに向き合うように取り付け、
略円柱状支持部材の側面を前記凹部同士で挟み込むことにより、前記ホルダーを前記略円柱状支持部材に固定することを特徴とする請求項６に記載の電波レンズアンテナ装置の設置方法。
【請求項８】
請求項２ないし請求項４のいずれかに記載の電波レンズアンテナ装置を用いて、
前記ホルダーの前記電波反射板側と反対側の面に、前記ストッパーを、平面部が前記ホルダーに向き合うように取り付け、
略角柱状支持部材の側面を、前記ホルダーと前記ストッパーの平面部で挟み込むことにより、前記ホルダーを前記略角柱状支持部材に固定することを特徴とする請求項６に記載の電波レンズアンテナ装置の設置方法。
【請求項９】
請求項２ないし請求項４のいずれかに記載の電波レンズアンテナ装置を用いて、
前記ホルダーの前記電波反射板側と反対側の面に、複数個の前記ストッパーを、各平面部が前記ホルダーに向き合うように取り付け、
略角柱状支持部材の側面を前記ホルダーと前記複数個のストッパーの各平面部で挟み込むことにより、前記ホルダーを複数の略角柱状支持部材の側面に固定することを特徴とする請求項６に記載の電波レンズアンテナ装置の設置方法。
【請求項１０】
請求項４または請求項５に記載の電波レンズアンテナ装置を用いて、
前記ホルダーと前記ストッパーとの間に支持部材を挟み込むことにより、前記ホルダーを前記支持部材に固定した後、
前記ホルダーに設けられた円弧状長穴を用いて、前記電波反射板を前記ホルダー上で回転させることによって電波レンズアンテナ本体の方向調整を行って、前記電波レンズアンテナ本体を固定することを特徴とする請求項６に記載の電波レンズアンテナ装置の設置方法。
【発明の詳細な説明】
【技術分野】
【０００１】
本発明は、静止衛星や地上の固定アンテナからの放送・通信電波を受信、または、それらの衛星やアンテナに向けて電波を送信するために用いるルーネベルグレンズを使用した電波レンズアンテナ装置および前記電波レンズアンテナ装置の設置方法に関する。
【背景技術】
【０００２】
複数の通信相手（衛星）との同時通信を可能にするマルチビームを有したアンテナ装置として、ルーネベルグレンズを用いた電波レンズアンテナ装置が提供されている。この電波レンズアンテナ装置は、ＬＮＢ（低ノイズブロックコンバーター：Ｌｏｗ  Ｎｏｉｓｅ  Ｂｌｏｃｋ  Ｃｏｎｖｅｒｔｅｒ）等の一次放射器を保持するアームの角度や、アーム上での一次放射器の位置を調整して、一次放射器を電波の収束点に位置決めできるため、壁面、ベランダの側面や床面、屋根の上など、縦横水平自由に安定して設置することができる。
【０００３】
しかし、従来は、前記電波レンズアンテナ装置を設置する方法としては、専用の電波レンズアンテナ設置用ポールを用いて、電波レンズアンテナ本体を地面に垂直に設置する方法が一般的であり、それに対応した取り付け治具が提供されていた。
【０００４】
この一般的な取り付け方法に対して、消費者の事情によっては、前記電波レンズアンテナ装置を設置するに際し、専用の電波レンズアンテナ設置用ポールを用いることができず、直接ベランダの柵等に取り付けざるを得ない場合がある。
また、水平方向に設置せざるを得ない場合もある。
【０００５】
これらの場合には、前記取り付け治具を用いて設置することは難しく、それぞれの取り付け方法に適合した取り付け治具を、新たに準備する必要があり、このために、複数の取り付け治具を製造する必要があった。
【０００６】
即ち、設置箇所（上記のポール、柵等）および取り付け方向（垂直方向あるいは水平方向）毎に、異なった取り付け治具を必要としていた。
一方、同じ取り付け治具で垂直方向、水平方向のどちらにも取り付け可能な方法が、特許文献１に提案されているが、この提案においても、設置箇所が異なると、異なった取り付け治具を必要としていた。
【特許文献１】ＷＯ２００５／０７６４０６号公報
【発明の開示】
【発明が解決しようとする課題】
【０００７】
本発明は、電波レンズアンテナ装置を種々の異なった方法により設置する場合でも、１つの取り付け治具によって設置することができる電波レンズアンテナ装置および前記電波レンズアンテナ装置の設置方法を提供することをその課題とする。
【課題を解決するための手段】
【０００８】
請求項１に記載の発明は、
電波レンズアンテナ本体と、前記電波レンズアンテナ本体を固定するための取り付け治具を有する電波レンズアンテナ装置であって、
前記電波レンズアンテナ本体は、半球状のルーネベルグレンズと、前記ル−ネベルグレンズに固定された電波反射板を有し、
前記取り付け治具は、ホルダーと前記ホルダーとの間に支持部材を挟み込むストッパーを有し、
前記電波反射板は、前記ホルダーの一方の面に固定されており、
前記ストッパーは、前記ホルダーの他方の面の長手方向の複数箇所に、着脱自在に取り付け可能に構成されていることを特徴とする電波レンズアンテナ装置である。
【０００９】
本請求項の発明は、ホルダー、および前記ホルダーの１つの面の長手方向の複数箇所に着脱自在に取り付け可能なストッパーより構成された取り付け治具を有する電波レンズアンテナ装置としたため、１組の前記ホルダーおよび前記ストッパーを用いて電波レンズアンテナ設置用ポールに電波レンズアンテナ本体を取り付ける場合のみならず、複数の前記ストッパーを前記ホルダーの複数箇所に取り付けることにより、ベランダの柵等に直接電波レンズアンテナ本体を取り付けることが可能となる。
即ち、設置場所によって特別な部材や工事を必要としない電波レンズアンテナ装置を提供することができる。
【００１０】
前記ホルダーは、長手方向の複数箇所に、複数の前記ストッパーを着脱自在に取り付け可能となっている。具体的には、前記ホルダーの複数の箇所に、前記ストッパーを取り付けることができるように、適当な間隔で複数のボルト穴を予め設けることをその手段として挙げることができる。
【００１１】
前記ホルダーおよび前記ストッパーの材質としては、耐久性の面より金属が好ましい。
【００１２】
電波反射板をホルダーの一方の面に固定する手段としては、ボルトとそれをねじ込むねじ穴、貫通穴とその穴に通すボルトと締め付け用のナット、フックとフック掛け、プラグとソケット、係合用の溝とその溝に係合させる部材、ピンとそのピンで連結する連結具、バンドとバンド掛け等、特に限定されないが、ボルトとそれをねじ込むねじ穴を用いると、簡便にかつ確実に固定でき好ましい。
【００１３】
電波レンズアンテナ装置を専用のポールやベランダの柵等の支持部材に設置するためには、取り付け治具を支持部材に固定する必要がある。取り付け治具の支持部材への固定は、ストッパー同士またはストッパーとホルダーとで支持部材を挟み込むことにより行われる。具体的には、ホルダーとストッパーに貫通孔を設け、貫通穴とその穴に通すボルトと締め付け用のナットを用いると簡便にかつ確実に固定でき好ましい。
【００１４】
請求項２に記載の発明は、
前記ストッパーは、略角柱状支持部材を挟む平面部と、略円柱状支持部材を挟む凹部を備えていることを特徴とする請求項１に記載の電波レンズアンテナ装置である。
【００１５】
本請求項の発明においては、ストッパーには、略円柱状支持部材を挟む凹部が設けられているため、前記凹部は、電波レンズアンテナ設置用ポール等の略円柱状支持部材を確実に挟み込むことができ、電波レンズアンテナ装置全体を確実に固定することができる。
また、前記平面部同士あるいはホルダーの平坦部と前記平面部との間で支持部材を挟み込むようにストッパーを配置すれば略角柱状支持部材をも確実に挟むことができる。このため、本請求項の発明によれば略円柱状支持部材、略角柱状支持部材の両方に対して取り付け可能とすることができる。
また、前記平面部となる底面の両側に側面を設けて、前記側面に略円柱状支持部材を挟む凹部を設ける形状とすれば、ストッパーの板厚を薄くしても剛性を確保できるため、ストッパーを軽量化することが可能となる。
平面状の底面の両側に２つの側面を設けることにより、ストッパーの板厚を薄くしても剛性を確保できるため、ストッパーを軽量化することが可能となる。
ストッパーは、前記平面部と凹部とを備えたものであれば、成型体であっても良いが、１枚の板材を用いて、平面部となる部分の両側を折り曲げて側面とし、その側面に凹部を設ける形状とすれば、ストッパーの板厚を薄くしても剛性を確保できるため、ストッパーを軽量化することが可能となる。
【００１６】
ここで、略円柱状とは、断面の一部に曲線部を有していることを意味し、前記電波レンズアンテナ設置用ポールの他に、かかる形状のベランダの柵等も含まれる。
【００１７】
請求項３に記載の発明は、
前記電波反射板が、前記ホルダーに縦横両方向自在に取り付け可能であることを特徴とする請求項１または請求項２に記載の電波レンズアンテナ装置である。
【００１８】
本請求項の発明においては、電波反射板を、ホルダーに縦横両方向自在に取り付け可能としたため、電波反射板（ひいては、電波レンズアンテナ本体）を９０度回転させる形で、その取り付け方向を容易に修正することができる。このため、ホルダーを保持する支持部材の方向が縦横どちらでも電波レンズアンテナ装置を設置できる。
【００１９】
具体的には、予め、電波反射板およびホルダーの双方の互いに対応する位置に、ボルト穴とボルトをねじ込むねじ穴を設けておくことをその手段として挙げることができる。穴の数は、特に限定されず、自由に設定すればよい。例えば、９０度ずつ回転させるのであれば、４個の穴を９０度の間隔で設ければよく、６０度ずつ回転させるのであれば、６個の穴を６０度の間隔で設ければよい。
【００２０】
請求項４に記載の発明は、
前記ホルダーに、前記電波反射板を前記ホルダー上で回転させることによって電波レンズアンテナ本体の方向調整が可能な前記電波反射板固定用の円弧状長穴が設けられていることを特徴とする請求項１ないし請求項３のいずれかに記載の電波レンズアンテナ装置である。
【００２１】
本請求項の発明においては、ホルダーに、電波レンズアンテナ本体の方向調整が可能な電波反射板固定用の円弧状長穴を設けたため、ホルダー上で電波レンズアンテナ本体を任意の方向で固定することができる。
また、前記ホルダーを水平方向に支持部材に固定した場合には、電波レンズアンテナ本体を水平方向に回転できるようになるため、電波状態が良好な方向で容易に固定することができる。
なお、前記円弧状長穴の数および円弧状長穴を設ける位置およびその半径については、特に限定されるものではないが、例えばホルダーの同心円上に２つの円弧状長穴を設け、各々の円弧状長穴にそれぞれ１本のボルトを挿通させて電波レンズアンテナ本体をホルダーに固定することにより、電波レンズアンテナ本体をホルダー上で容易に回転可能とすることができる。
【００２２】
請求項５に記載の発明は、
電波レンズアンテナ本体と、前記電波レンズアンテナ本体を固定するための取り付け治具を有する電波レンズアンテナ装置であって、
前記電波レンズアンテナ本体は、半球状のルーネベルグレンズと、前記ル−ネベルグレンズに固定された電波反射板を有し、
前記取り付け治具は、ホルダーと、前記ホルダーとの間に支持部材を挟み込むストッパーを有し、
前記電波反射板は、前記ホルダーの一方の面に固定されており、
前記ホルダーに、前記電波反射板を前記ホルダー上で回転させることによって電波レンズアンテナ本体の方向調整が可能な前記電波反射板固定用の円弧状長穴が設けられていることを特徴とする電波レンズアンテナ装置である。
【００２３】
本請求項の発明においては、ホルダーに、電波レンズアンテナ本体の方向調整が可能な電波反射板固定用の円弧状長穴を設けたため、ホルダーおよびストッパーにより支持部材に固定した後、ホルダー上で電波レンズアンテナ本体を任意の方向で固定することができる。
【００２４】
請求項６に記載の発明は、
請求項１ないし請求項５のいずれかに記載の電波レンズアンテナ装置を用いて、
前記ホルダーと前記ストッパーとの間に支持部材を挟み込むことにより、前記ホルダーを前記支持部材に固定することを特徴とする電波レンズアンテナ装置の設置方法である。
【００２５】
本請求項の発明においては、請求項１ないし請求項５のいずれかに記載の電波レンズアンテナ装置を用いて設置するため、前述した請求項１〜請求項５の説明に記載したように、種々の異なった方法により設置する場合でも、１つの取り付け治具によって設置することができる。
具体的な異なる設置方法については、以下の請求項で説明する。
【００２６】
請求項７に記載の発明は、
請求項２ないし請求項４のいずれかに記載の電波レンズアンテナ装置を用いて、
前記ホルダーの前記電波反射板側と反対側の面に、２個の前記ストッパーを、各々の前記凹部同士が互いに向き合うように取り付け、
略円柱状支持部材の側面を前記凹部同士で挟み込むことにより、前記ホルダーを前記略円柱状支持部材に固定することを特徴とする請求項６に記載の電波レンズアンテナ装置の設置方法である。
【００２７】
本請求項の発明においては、２個のストッパーを、凹部同士が互いに向き合うように取り付け、略円柱状支持部材の側面を凹部同士で挟み込んで固定するため、取り付け治具と略円柱状支持部材とを、簡便かつ確実に固定することができ、さらには、電波レンズアンテナ本体を簡便かつ確実に固定、設置できる。
【００２８】
請求項８に記載の発明は、
請求項２ないし請求項４のいずれかに記載の電波レンズアンテナ装置を用いて、
前記ホルダーの前記電波反射板側と反対側の面に、前記ストッパーを、平面部が前記ホルダーに向き合うように取り付け、
略角柱状支持部材の側面を、前記ホルダーと前記ストッパーの平面部で挟み込むことにより、前記ホルダーを前記略角柱状支持部材に固定することを特徴とする請求項６に記載の電波レンズアンテナ装置の設置方法である。
【００２９】
本請求項の発明においては、ストッパーを、平面部がホルダーに向き合うように取り付け、略角柱状支持部材の側面をホルダーとストッパーの平面部で挟み込んで固定するため、取り付け治具と略角柱状支持部材とを、簡便かつ確実に固定することができ、さらには、電波レンズアンテナ本体を簡便かつ確実に固定、設置できる。
【００３０】
請求項９に記載の発明は、
請求項２ないし請求項４のいずれかに記載の電波レンズアンテナ装置を用いて、
前記ホルダーの前記電波反射板側と反対側の面に、複数個の前記ストッパーを、各平面部が前記ホルダーに向き合うように取り付け、
略角柱状支持部材の側面を前記ホルダーと前記複数個のストッパーの各平面部で挟み込むことにより、前記ホルダーを複数の略角柱状支持部材の側面に固定することを特徴とする請求項６に記載の電波レンズアンテナ装置の設置方法である。
【００３１】
本請求項の発明においては、複数個のストッパーを、各平面部がホルダーに向き合うように取り付け、略角柱状支持部材の側面を各平面部で挟み込んで固定するため、複数の略角柱状支持部材に対して固定することができ、より確実に電波レンズアンテナ本体を設置できる。さらに、ストッパーの平面部およびホルダーの平坦部で支持部材を挟み込むため、支持部材とストッパーとの間に多少のずれがあっても確実に挟み込むことが可能である。
【００３２】
また、ホルダーの長さを２本の支持部材の間隔にほぼ適合した長さに設定し、２個のストッパーをホルダーの両端に取り付けることにより、ホルダーの材料を節約することができる。
【００３３】
請求項１０に記載の発明は、
請求項４または請求項５に記載の電波レンズアンテナ装置を用いて、
前記ホルダーと前記ストッパーとの間に支持部材を挟み込むことにより、前記ホルダーを前記支持部材に固定した後、
前記ホルダーに設けられた円弧状長穴を用いて、前記電波反射板を前記ホルダー上で回転させることによって電波レンズアンテナ本体の方向調整を行って、前記電波レンズアンテナ本体を固定することを特徴とする請求項６に記載の電波レンズアンテナ装置の設置方法である。
【００３４】
本請求項の発明においては、ホルダーとストッパーとの間に支持部材を挟み込むことにより、ホルダーを支持部材に固定した後、ホルダーに設けられた円弧状長穴を用いて、電波反射板とホルダーとを固定するため、ホルダー上で電波レンズアンテナ本体を自由に回転させて、任意の方向で固定することができる。
【００３５】
本請求項の発明においては、支持部材が垂直あるいは水平いずれの方向に配置されていても、電波レンズアンテナ本体を設置することができる。
特に、ベランダの柵等の水平方向に配置された支持部材に対して、電波レンズアンテナ装置が水平の状態でも、電波が良好となる方向に合わせて設置することができる。このため、直接ベランダの床等に設置せざるを得ないような場合における問題、即ち、ベランダのフェンス等の影響で衛星が見通せないという問題を、容易に解決することができる。
【発明の効果】
【００３６】
本発明により、電波レンズアンテナ装置を種々の異なった方法により設置する場合でも、１つの取り付け治具によって設置することができる電波レンズアンテナ装置を提供することができる。
また、電波レンズアンテナ装置を、種々の異なった設置方法で、特別な部材や工事を必要とせず、簡便かつ確実に、固定、設置できる。
【発明を実施するための最良の形態】
【００３７】
以下、本発明をその最良の実施の形態に基づいて説明する。なお、本発明は、以下の実施形態に限定されるものではない。本発明と同一および均等の範囲内において、以下の実施の形態に対して種々の変更を加えることが可能である。
【００３８】
（第１の実施の形態）
本実施の形態は、電波レンズアンテナ本体を垂直方向に設置した電波レンズアンテナ装置の一例であり、図１を用いて、以下に説明する。図１において、（ａ）は、側面図であり、（ｂ）は平面図である。また、（ｃ）は、ホルダーおよびストッパーによる支持部材固定部の斜視図である。なお、全ての図は、概念図であり、本発明と直接的に関係していない箇所は図示していない。（なお、前記の記載は、図２、図３においても同様である）
【００３９】
電波レンズアンテナ装置は、電波レンズアンテナ本体１と取り付け治具を有している。
電波レンズアンテナ本体１は、半球状のルーネベルグレンズ１ａ、電波反射板１ｂおよび一次放射器１ｃからなり、ルーネベルグレンズ１ａおよび一次放射器１ｃは、それぞれ電波反射板１ｂに固定されている。
また、取り付け治具は、ホルダー２、ストッパー３、ボルト４およびナット５からなる。
【００４０】
ホルダー２の一方の面には電波反射板１ｂが固定されている。また、ホルダー２、ストッパー３にはボルトを挿通させるための貫通孔が複数設けられており、貫通孔を挿通させた２本のボルト４とナット５により、ホルダー２の他方の面に２個１組のストッパー３が着脱自在に取り付けられている。
【００４１】
先ず、円柱状の支持部材Ａに取り付け治具を固定する。ホルダー２の貫通孔およびホルダー２側のストッパー３の貫通孔にボルト４を挿通させ、支持部材Ａを挟んで他の１個のストッパー３を配置し、さらにナット５を取り付ける。ストッパー３を横から見ると（ａ）図に示すように、２つの側面は平面部に対して直角な平面状に設けられており、また真上から見ると（ｂ）図に示すように、側面端部の中央部には凹部が設けられている。１組のストッパー３は、凹部同士が互いに向き合うようにセットされ、２つの凹部の間に垂直方向に伸びる支持部材Ａが挿通されている。ナット５を締め付けることにより、円柱状の支持部材Ａの側面を凹部で挟み込み取り付け治具を支持部材Ａに固定する。
【００４２】
次いで、ホルダー２の一方の面に、電波レンズアンテナ本体を取り付け、固定して、電波レンズアンテナ装置の設置を完了する。
また、電波レンズアンテナ装置は、電波が良好となる方向に向けて固定することが望ましい。
【００４３】
本実施の形態においては、設置箇所が円柱状の支持部材であっても、支持部材の側面を凹部により強固に挟み込むことができるので、電波レンズアンテナ装置を確実に設置、固定できる。
【００４４】
（第２の実施の形態）
本実施の形態は、電波レンズアンテナ本体を垂直方向に設置した電波レンズアンテナ装置の他の一例であり、図２を用いて、以下に説明する。
本実施の形態においては、（ａ）図に示すように、ストッパー３の平面部がホルダー２と向かい合うように配置されている。また、（ｂ）図に示すように、２個のストッパー３を、ホルダー２の長手方向に並べ、各々のストッパー３の平面部とホルダー２の間にそれぞれ１本の角柱状支持部材Ａを挿通させ、ナット５を締め付けることにより、ホルダー２とストッパー３の平面部とで角柱状支持部材Ａの側面を挟み込むことにより、取り付け治具を支持部材Ａに固定する。
【００４５】
次いで、ホルダー２に、電波レンズアンテナ本体を取り付け、固定して、電波レンズアンテナ装置の設置を完了する。
【００４６】
本実施の形態によれば、２つの平面部で支持部材を挟み込むので、２本の支持部材の間隔の大きさに関係なく、電波レンズアンテナ装置を確実に固定することができる。
【００４７】
本実施の形態においては、支持部材Ａは縦方向に位置しているが、横方向に位置する場合でも、同様に設置することができる。しかし、この場合には、電波レンズアンテナ本体を垂直方向に設置する必要がある。電波反射板１ｂには、そのためのボルト穴が予め設けられており（本実施の形態においては９０°間隔で４個の穴を設ける）、ホルダー２とは、９０°の角度で固定して、電波レンズアンテナ装置の設置を完了する。
【００４８】
（第３の実施の形態）
本実施の形態は、電波レンズアンテナ本体を垂直方向に設置した電波レンズアンテナ装置の他の一例であり、図３を用いて、以下に説明する。
本実施の形態においては、支持部材Ａは横方向に位置しており、ホルダー２の長手方向が垂直方向になるように配置し、ストッパー３を１個のみ使用する。本実施の形態においては、（ｂ）図に示すように、ストッパー３の平面部がホルダー２と向かい合うように配置する。（ａ）図に示すように、ストッパー３の平面部とホルダー２の間に角柱状支持部材Ａを挿通させ、ナット５を締め付けることにより、ホルダー２とストッパー３の平面部とで角柱状支持部材Ａの側面を挟み込むことにより、取り付け治具を支持部材Ａに固定する。
【００４９】
次いで、ホルダー２に、９０°の角度で、電波レンズアンテナ本体を取り付け、固定して、電波レンズアンテナ装置の設置を完了する。
【００５０】
本実施の形態によれば、ストッパー３を１個のみ使用し、簡単かつ確実に電波レンズアンテナ装置を支持部材Ａに固定することができる。
以上第１〜第３の実施の形態に示したように、本発明に係る電波レンズアンテナ装置は、１組の取り付け治具で様々な形状を有する支持部材に設置可能である。
また、支持部材の方向によらず、電波レンズアンテナ本体を設置可能である。
【００５１】
（第４の実施の形態）
本実施の形態は、電波レンズアンテナ本体を水平方向に設置した電波レンズアンテナ装置の一例であり、図４を用いて、以下に説明する。なお、図４において、（ａ）は、側面図であり、（ｂ）は正面図である。また、（ｃ）は、ホルダーおよびストッパーによる支持部材固定部の斜視図である。
本実施の形態においては電波反射板（図示せず）とホルダー２を２本のボルト（図示せず）で固定する。ホルダー２には、電波反射板固定用の２本のボルトを挿通させるための２つの円弧状長穴８が設けられている。２つの円弧状長穴８は同心円上に設けられており、ナット（図示せず）を緩めることにより、セットした電波レンズアンテナ本体をホルダー２上で回転させることが可能である。
【００５２】
また、前記円弧状長穴８が６０度の幅で設けられている場合は、前記電波反射板側の固定ボルトが配置できる位置を６０度ピッチで６箇所設けておけば、任意の方向で固定できる。
【００５３】
本実施の形態によれば、ホルダー２の位置を変えることなく、即ち設置しようとする支持部材の向きに左右されることなく、電波レンズアンテナ本体の向きを望ましい方向に向けてセットすることができる。
【００５４】
また、ベランダの柵等の横方向の支持部材に設置が可能であるため、直接ベランダの床等に設置せざるを得ないような場合における問題、即ち、ベランダのフェンス等の影響で衛星が見通せないという問題を、容易に解決することができる。
【図面の簡単な説明】
【００５５】
【図１】電波レンズアンテナ本体を垂直方向に設置した電波レンズアンテナ装置の一例を説明するものである。
【図２】電波レンズアンテナ本体を垂直方向に設置した電波レンズアンテナ装置の他の一例を説明するものである。
【図３】電波レンズアンテナ本体を垂直方向に設置した電波レンズアンテナ装置の他の一例を説明するものである。
【図４】電波レンズアンテナ本体を水平方向に設置した電波レンズアンテナ装置の一例を説明するものである。
【符号の説明】
【００５６】
１      電波レンズアンテナ装置
１ａ    ルーネベルグレンズ
１ｂ    電波反射板
１ｃ    一次放射器
２      ホルダー
３      ストッパー
４、６  ボルト
５、７  ナット
８      円弧状長穴
【図１】
2008301237.tif 000003
【図２】
2008301237.tif 000004
【図３】
2008301237.tif 000005
【図４】
2008301237.tif 000006